(57)【要約】【課題】簡単な操作で装置本体に設けられた機能について、その内容をユーザに分かりやすく伝えることで、装置本体に設けた機能を有効に利用させることができるリモートコントローラで操作される電子機器を提供する。  【解決手段】モード切替手段がデモモードに切り替えると、ガイド画像出力手段が、前記リモートコントローラに設けられているキーの名称とそのキーを操作したときにおける本体の動作内容とを対応づけた案内画面を出力する。したがって、ユーザは案内画面を見ることで、リモートコントローラのキーとそのキーを操作したときにおける本体の動作内容を確認することができる。さらに、この案内画面が出力されている状態で、リモートコントローラのキーが操作されると、デモ手段が操作されたキーに応じた機能を利用するときの操作手順をデモする。【選択図】  図２
2005295436.tif 000002
【特許請求の範囲】
【請求項１】
リモートコントローラから送信されてきた本体の動作を指示する制御信号を受信し、受信した制御信号に基づいて本体の動作を制御するリモートコントローラで操作される電子機器において、
本体の動作モードを、通常モード、または本体に設けられている各機能を説明するデモモードを選択的に切り替えるモード切替手段と、
前記モード切替手段が本体の動作モードを、前記通常モードから前記デモモードに切り換えたときに、本体に設けられている機能について、その内容と、この機能を利用するときに操作する前記リモートコントローラに設けられているキーの名称とを対応づけた案内画面を出力するガイド画像出力手段と、
前記ガイド画像出力手段が案内画面を出力しているときに前記リモートコントローラから送信されてきた制御信号に対応する機能ついて、その機能を利用するときの操作手順を案内するデモを行うデモ手段と、
本体にセットされたＤＶＤに記録されている映像及び音声のデータを読み取り再生する再生手段と、を備え、
前記デモ手段は、操作手順を案内する操作案内画面を出力する手段であり、
さらに、前記ガイド画像出力手段が出力した前記案内画面、または前記デモ手段が出力した前記操作案内画面を表示する表示手段を備えたリモートコントローラで操作される電子機器。
【請求項２】
リモートコントローラから送信されてきた本体の動作を指示する制御信号を受信し、受信した制御信号に基づいて本体の動作を制御するリモートコントローラで操作される電子機器において、
本体の動作モードを、通常モード、または本体に設けられている各機能を説明するデモモードを選択的に切り替えるモード切替手段と、
前記モード切替手段が本体の動作モードを、前記通常モードから前記デモモードに切り換えたときに、本体に設けられている機能について、その内容と、この機能を利用するときに操作する前記リモートコントローラに設けられているキーの名称とを対応づけた案内画面を出力するガイド画像出力手段と、
前記ガイド画像出力手段が案内画面を出力しているときに前記リモートコントローラから送信されてきた制御信号に対応する機能ついて、その機能を利用するときの操作手順を案内するデモを行うデモ手段と、を備えたリモートコントローラで操作される電子機器。
【請求項３】
前記デモ手段は、操作手順を案内する操作案内画面を出力する手段であり、
前記ガイド画像出力手段が出力した前記案内画面、前記デモ手段が出力した前記操作案内画面を表示する表示手段を備えた請求項１に記載のリモートコントローラで操作される電子機器。
【請求項４】
本体にセットされたＤＶＤに記録されている映像及び音声のデータを読み取り再生する再生手段を備えた請求項１または２に記載のリモートコントローラで操作される電子機器。
【発明の詳細な説明】
【技術分野】
【０００１】
この発明は、リモートコントローラ、いわゆるリモコンで遠隔操作されるテレビ、ビデオ、ＤＶＤ等の電子機器に関する。
【背景技術】
【０００２】
従来、リモートコントローラ（以下、単にリモコンと言う。）で遠隔操作できるテレビ、ビデオ、ＤＶＤ等の電子機器が一般に普及している。また、電子機器は、ユーザからの要望等を実現するために高機能化が進んでいる。一方、高機能化されたことにより、その機能を利用する場合に、ユーザが操作しなければならないキーの総数が増加しており、操作が複雑化する傾向にある。そこで、高機能化された機能を利用するときの操作方法を簡単に確認できるように、操作方法をユーザに提示することが特許文献１、 2等で提案されている。特許文献１は実際に機能を利用するときに、ユーザに次に行う操作を案内誘導する構成であり、特許文献２はユーザが指定した機能について操作手順を表示する構成である。
【特許文献１】特開平７−１０７５６８号公報
【特許文献２】特開２００１−３０６４２８号公報
【発明の開示】
【発明が解決しようとする課題】
【０００３】
しかしながら、最近では高機能化だけでなく、よりユーザの要望を満足させるために、新たな機能を追加することが行われている。一方、追加された新たな機能の中には、リモコンのキーに付されている名前（キー名称）を見ただけでは、その機能の内容（実際に何を行う機能であるか）を判断できないものがある。このような場合、ユーザはキー名称から判断できなかった機能の内容を電子機器の取り扱い説明書を読んで確認すればよいのであるが、面倒であるという理由から確認せずにその機能を利用しないユーザも多く、多機能化された電子機器が有効に利用されていないという問題がある。また、利用できる機能を利用しないことはユーザにとっとも不利益である。
【０００４】
この発明の目的は、簡単な操作で装置本体に設けられた機能について、その内容をユーザに分かりやすく伝えることで、装置本体に設けた機能を有効に利用させることができるリモートコントローラで操作される電子機器を提供する。
【課題を解決するための手段】
【０００５】
この発明は、リモートコントローラから送信されてきた本体の動作を指示する制御信号を受信し、受信した制御信号に基づいて本体の動作を制御するリモートコントローラで操作される電子機器において、
本体の動作モードを、通常モード、または本体に設けられている各機能を説明するデモモードを選択的に切り替えるモード切替手段と、
前記モード切替手段が本体の動作モードを、前記通常モードから前記デモモードに切り換えたときに、本体に設けられている機能について、その内容と、この機能を利用するときに操作する前記リモートコントローラに設けられているキーの名称とを対応づけた案内画面を出力するガイド画像出力手段と、
前記ガイド画像出力手段が案内画面を出力しているときに前記リモートコントローラから送信されてきた制御信号に対応する機能ついて、その機能を利用するときの操作手順を案内するデモを行うデモ手段と、を備えたリモートコントローラで操作されることを特徴とする。
【０００６】
この構成では、モード切替手段が本体の動作モードを通常モードとデモモードの間で切り換える。通常モードはユーザが装置本体を使用するときのモードであり、デモモードは装置本体に設けられた機能をユーザに分かりやすく伝えるモードである。ユーザは、装置本体に設けられている機能で、実際に何を行う機能であるか判断できないときに、装置本体をデモモードに切り換える。モード切替手段がデモモードに切り替えると、ガイド画像出力手段が、前記リモートコントローラに設けられているキーの名称とそのキーを操作したときにおける本体の動作内容とを対応づけた案内画面を出力する。したがって、ユーザは案内画面を見ることで、リモートコントローラのキーとそのキーを操作したときにおける本体の動作内容を確認することができる。言い換えれば、ユーザはリモートコントローラのキーに付されている名前（キー名称）を見ただけでは、その機能の内容が判断できなくても、装置本体をデモモードに切り換えるだけで、その機能の内容を確認することができる。
【０００７】
さらに、この案内画面が出力されている状態で、リモートコントローラのキーが操作されると、デモ手段が操作されたキーに応じた機能を利用するときの操作手順をデモする。したがって、ユーザはデモモードに切り換えて、内容を確認した機能について、利用するときの操作手順も簡単に確認できる。
【０００８】
このように、簡単な操作で装置本体に設けられた機能について、その内容をユーザに分かりやすく伝えることができるとともに、装置本体に設けた機能をユーザに有効に利用させることができる。
【０００９】
また、この発明はテレビ、ビデオ、ＤＶＤ等の機器やテレビ一体型ビデオ（テレビとビデオの複合機）やテレビ一体型ＤＶＤ（テレビとＤＶＤの複合機）等の複合機にも適用できる。
【発明の効果】
【００１０】
この発明によれば、簡単な操作で装置本体に設けられた機能について、その内容をユーザに分かりやすく伝え、装置本体に設けた機能をユーザに有効に利用させることができる。
【発明を実施するための最良の形態】
【００１１】
図１は、本発明の実施形態のテレビとＤＶＤの複合機（以下、テレビ一体型ＤＶＤと言う。）を示すブロック図である。本発明の実施形態のテレビ一体型ＤＶＤ１は、制御部２、受信部３、チューナ４、ＤＶＤ処理部５、映像出力部６、記憶部７、画像表示部８、音声出力部９、スピーカ１０、操作部１１、リモコン受信部１２を備えている。
【００１２】
制御部２は、本体の動作モードを、通常モード、または本体に設けられている各機能を説明するデモモードを選択的に切り替える機能（この発明で言う、モード切替手段）を有する。また、制御部２はデモモードに切り替えたことを通知すること及び、後述するデモ画面による操作手順の案内開始を映像出力部６に指示する。受信部３は、アンテナで受信しているテレビ放送信号を取り込み、チューナ４へ供給する。チューナ４は、選択されているチャンネルの信号を抽出して映像出力部６及び音声出力部９に送る。ＤＶＤ処理部５は、セットされたＤＶＤに記録されている映像および音声データを読み取り、映像出力部６及び音声出力部９に再生信号を出力する再生機能、および入力された映像および音声をＤＶＤに記録する記録機能を有する。
【００１３】
映像出力部６は、チューナ４またはＤＶＤ処理部５から入力された映像信号を表示用の信号に変換して出力する。また、映像出力部６はデモモードのときに本体に設けられている各機能についてその内容とその機能を利用するときに操作するリモコンのキーの名称と対応づけた案内画面やその機能を利用するときの操作手順を案内するデモ画面を記憶した記憶部７を有している。ここでいうデモ画面がこの発明の操作案内画面に相当する。この記憶部７はＥＥＰＲＯＭなどの不揮発性メモリである。映像出力部６はデモモードのときに前記記憶部７に記憶している案内画面やデモ画面を出力する。画像表示部８は映像出力部６から入力された映像信号を元に、前記案内画面やデモ画面又は、テレビ放送されている番組や本体にセットされたＤＶＤに記録されている映像を表示する。音声出力部９は、チューナ４またはＤＶＤ処理部５から送られてきた音声信号を処理してスピーカ１０から音声を出力する。操作部１１は、チューナ４で受信するチャンネルの選択や各種の設定操作等を行う。リモコン受信部１２はリモコン２０から送られてきた本体に対する制御信号を受信し、それを制御部２に伝える。リモコン２０は、チューナ４で受信するチャンネルの選択や各種の設定操作を本体から離れた位置で行うためのものであり、操作されたキーに応じた、制御信号を電波又は赤外線で送信する。
【００１４】
次に動作について説明する。この装置は、通常モードとデモモードの２つのモードを有する。通常モードとデモモードの切り替えは、リモコンまたは操作部で行える。
【００１５】
通常モードはテレビ放送されている番組の視聴や、ＤＶＤに記録されているコンテンツの再生、前記番組の録画等を行うモードであり、例えばＴＶを視聴しているユーザがリモコンでチャンネルを切り替えて、好みの番組を選択し、視聴するモードである。通常モード時の動作については公知であるので詳細な説明については省略する。
【００１６】
デモモードは、リモコン２０のキーの名称とこのキーを操作したときに利用できる機能の内容をユーザに確認させたり、その機能を利用するときの操作手順を案内するモードである。
【００１７】
図２はデモモードの動作を示すフローチャートである。以下、このデモモードについて詳細に説明する。
【００１８】
ユーザは、リモコン２０に設けられているキーに付されている名称から、その機能の内容が理解できないときにこのデモモードを利用する。ユーザは例えばリモコン２０に設けられているデモキーを操作する。これにより、リモコン２０からデモモードへの切り替えを指示する制御信号が送信される。リモコン受信部１２がこの制御信号を受信すると、制御部２にモード切替の指示があったことを伝える。制御部２はテレビ一体型ＤＶＤ１の本体のモードを通常モードからデモモードに切り替えるとともに映像出力部６や音声出力部９等にデモモードに切り替えたことを通知する。映像出力部６はこの通知により記憶部７から案内画面を読み出し画像表示部８に出力する（Ｓ１）。また、チューナ４またはＤＶＤ処理部５から入力されている映像信号については処理を中断し、出力しない。音声出力部９はミュートをかける。このとき図３に示す案内画面が画像表示部８に表示される。。
【００１９】
この案内画面はリモコン２０のキーの名称とそのキーを押したときに利用できる機能の内容を対応付けて表示するので、ユーザーはリモコン２０についているキーの名前では何を行うのか分からなかった機能もこの画面を見ることでその内容が確認できる。言い換えれば、ユーザはリモコン２０に設けられているキーに付されている名称から、どのような機能が利用できるのか分からないとき、デモキーを操作するだけで、利用できる機能の内容を確認できる。
【００２０】
ここでユーザがＥＰＧ録画の操作方法を知りたいと思い、ＥＰＧキーを操作した場合について説明する。
【００２１】
ここで機能キーを操作せずに終了キーが操作されると（Ｓ３）本処理を終了し、通常モードに戻る。テレビ一体型ＤＶＤ１は機能キーが操作されると（Ｓ２）、例えばユーザーがＥＰＧ録画のキーを操作すると、操作されたキーに対応する機能を利用するときの操作手順を案内するデモを実行する（Ｓ４）。
【００２２】
ＥＰＧ録画とは、ＥＰＧを利用して入力されたジャンル、又は人名により、該当する番組を検索し、検索した番組をユーザに提示して録画予約する番組を受け付ける機能である。
【００２３】
まず最初に図４で示すように「ジャンル検索」、「人名検索」の２つのボタンが出た画面を表示する。ここでは、ジャンル検索による操作手順を案内するデモを行う。デモモードでは画面の下部にメッセージを表示し、ここでは「５秒後に「ジャンル検索」が選択された場合の画面に移ります。」というメッセージを表示し、ユーザにどういう手順でこの後、画面が移っていくか示すためである。そして、「ジャンル検索」の画面に移ると、図５に示すようにジャンル検索のキワードを書き込む画面が表示される。画面の下部には「５秒後に「サッカー」が入力された画面に移ります」というメッセージが表示される。そして、図６に示すキーワードとして「サッカー」が書き込まれた画面に移る。
【００２４】
この画面の下部には「５秒後に「サッカー」をキーワードにした検索結果を示す画面に移ります。」というメッセージが表示される。その後、図７に示す、「サッカー」をキーワードとした検索結果の画面が表示される。
【００２５】
この画面の下部には「サッカーダイジェストが選択されている状態です。」というメッセージが表示される。
【００２６】
そして、一定時間経過すると、デモモードは終了し、図３に示した案内画面に戻る。このように、案内画面を出力しているときにリモートコントローラから送信されてきた制御信号に対応する機能を利用するときの操作手順がデモされるので、ユーザーは、分からなかった機能の操作手順を簡単に確認することができる。これにより、装置本体に設けた機能をユーザに有効に利用させることができる。なお、本願発明は、上記実施形態のテレビ一体型ＤＶＤだけでなく、テレビ、ビデオ、ＤＶＤプレーヤー、テレビ一体型ビデオ等の他の電子機器にも適用できる。
【図面の簡単な説明】
【００２７】
【図１】本発明の実施形態のテレビとＤＶＤの複合機を示すブロック図である。
【図２】本発明の実施形態であるテレビ一体型ＤＶＤのデモモードの動作を示すフローチャートである。
【図３】本発明の実施形態であるテレビ一体型ＤＶＤの表示画面例を示す図である。
【図４】本発明の実施形態であるテレビ一体型ＤＶＤの表示画面例を示す図である。
【図５】本発明の実施形態であるテレビ一体型ＤＶＤの表示画面例を示す図である。
【図６】本発明の実施形態であるテレビ一体型ＤＶＤの表示画面例を示す図である。
【図７】本発明の実施形態であるテレビ一体型ＤＶＤの表示画面例を示す図である。
【符号の説明】
【００２８】
１−テレビ一体型ＤＶＤ
２−制御部
２−制御部
３−受信部
４−チューナ
５−ＤＶＤ処理部
６−映像出力部
７−記憶部
８−画像表示部
９−音声出力部
１０−スピーカ
１１−操作部
１２−リモコン受信部
２０−リモコン
【図１】
2005295436.tif 000003
【図２】
2005295436.tif 000004
【図３】
2005295436.tif 000005
【図４】
2005295436.tif 000006
【図５】
2005295436.tif 000007
【図６】
2005295436.tif 000008
【図７】
2005295436.tif 000009